(57)【要約】【課題】  本発明は、簡易な構成で、運搬対象物の出し入れ作業及び運搬作業を容易に行うことができる運搬具を提供することを目的とする。【解決手段】  運搬シート２０と、運搬シート２０の４辺のうち、長手方向と直交する方向に対向する２辺に、長手方向に沿って筒状にそれぞれ形成された第１及び第２の支持棒挿通部２０Ａ及び２０Ｂと、両端部分が第１及び第２の支持棒挿通部２０Ａ及び２０Ｂからそれぞれ露出するようにして、第１及び第２の支持棒挿通部２０Ａ及び２０Ｂにそれぞれ挿通された第１及び第２の支持棒３０Ａ及び３０Ｂと、第１及び第２の支持棒３０Ａ及び３０Ｂの外径の合計より大きい内径を有する輪が、両端にそれぞれ形成された肩担ぎ用紐５０とを備える。【選択図】  図１
2011016566.tif 000002
【特許請求の範囲】
【請求項１】
軟質シート材によって形成された長方形状の運搬シートと、
前記運搬シートの４辺のうち、長手方向と直交する方向に対向する２辺に、所望の内径を有するようにして、長手方向に沿って筒状にそれぞれ形成された第１及び第２の支持棒挿通部と、
前記運搬シートの長手方向における長さより長くなるようにそれぞれ形成されると共に、前記第１及び第２の支持棒挿通部の内径より小さい外径を有するようにそれぞれ形成され、その両端部分が前記第１及び第２の支持棒挿通部からそれぞれ露出するようにして、前記第１及び第２の支持棒挿通部にそれぞれ挿通された第１及び第２の支持棒と、
前記第１及び第２の支持棒の外径の合計より大きい内径を有する輪が、両端にそれぞれ形成された肩担ぎ用紐と
を備えることを特徴とする運搬具。
【請求項２】
前記第１及び第２の支持棒の中央部分が、前記第１及び第２の支持棒挿通部からそれぞれ露出するようにして、前記運搬シートのうち、前記第１及び第２の支持棒挿通部がそれぞれ形成された２辺の中央部分に、当該中央部分を切り取るようにしてそれぞれ形成された第１及び第２の切欠
をさらに備えることを特徴とする請求項１に記載の運搬具。
【発明の詳細な説明】
【技術分野】
【０００１】
本発明は、運搬具に関する。
【背景技術】
【０００２】
従来、除草後に残された草や小枝を集めて運搬する際には、例えば、上面が開口するようにして形成された開口部を有する直方体形状の収納袋に、上方から開口部を通じて草や小枝を入れた上で運搬することが一般的に行われている。
【先行技術文献】
【特許文献】
【０００３】
【特許文献１】特開２００３−３８５７５号公報
【発明の概要】
【発明が解決しようとする課題】
【０００４】
ところで、かかる収納袋に草を入れる際には、集めた草を一旦持ち上げた上で、上方から開口部を通じて収納袋の中に入れる。そして、草が収納された収納袋を運搬する際には、開口部を形成する４辺のうち、対向する２辺に設けられた取っ手を掴んで運搬する。その後、収納袋から草を取り出す際には、開口部を下方に向けるようにして、収納袋を逆さにすることにより、収納袋から草を取り出す。
【０００５】
このように、上述した収納袋を使用する場合には、集めた草を収納袋に入れる作業、草が収納された収納袋を運搬する作業、及び収納袋から草を取り出す作業のいずれの作業を行う場合でも、多くの労力を必要とし、使い勝手が悪い問題があった。
【０００６】
本発明は、簡易な構成で、運搬対象物の出し入れ作業及び運搬作業を容易に行うことができる運搬具を提供することを目的とする。
【課題を解決するための手段】
【０００７】
本発明の一態様による運搬具は、
軟質シート材によって形成された長方形状の運搬シートと、
前記運搬シートの４辺のうち、長手方向と直交する方向に対向する２辺に、所望の内径を有するようにして、長手方向に沿って筒状にそれぞれ形成された第１及び第２の支持棒挿通部と、
前記運搬シートの長手方向における長さより長くなるようにそれぞれ形成されると共に、前記第１及び第２の支持棒挿通部の内径より小さい外径を有するようにそれぞれ形成され、その両端部分が前記第１及び第２の支持棒挿通部からそれぞれ露出するようにして、前記第１及び第２の支持棒挿通部にそれぞれ挿通された第１及び第２の支持棒と、
前記第１及び第２の支持棒の外径の合計より大きい内径を有する輪が、両端にそれぞれ形成された肩担ぎ用紐と
を備える。
【発明の効果】
【０００８】
本発明の運搬具によれば、簡易な構成で、運搬対象物の出し入れ作業及び運搬作業を容易に行うことができる。
【図面の簡単な説明】
【０００９】
【図１】本発明の実施の形態の運搬具の構成を示す平面図である。
【図２】同運搬具を使用する際の使用形態を示す斜視図である。
【図３】同運搬具を用いて運搬作業を行う際の様子を示す斜視図である。
【図４】同運搬具を用いて袋詰め作業を行う際の様子を示す斜視図である。
【発明を実施するための形態】
【００１０】
以下、本発明の実施の形態について図面を参照して説明する。
【００１１】
図１に、本発明の実施の形態による運搬具１０の構成を示す。この運搬具１０は、例えば合成樹脂などからなる軟質シート材によって形成された長方形状の運搬シート２０と、当該運搬シート２０を支持するための支持棒３０Ａ及び３０Ｂとを有する。
【００１２】
運搬シート２０を形成する４辺のうち、長手方向と直交する方向に対向する２辺には、所望の内径を有するようにして、支持棒挿通部２０Ａ及び２０Ｂ（すなわち、第１及び第２の支持棒挿通部）が、長手方向に沿って筒状にそれぞれ形成されている。
【００１３】
支持棒３０Ａ（すなわち第１の支持棒）は、運搬シート２０の長手方向における長さより長くなるように形成されると共に、支持棒挿通部２０Ａの内径より小さい外径を有するように形成され、その両端部分が支持棒挿通部２０Ａから露出するようにして、支持棒挿通部２０Ａに挿通されている。これにより、支持棒３０Ａの両端部分は、運搬者によって把持される把手としての役割を果たす。
【００１４】
支持棒３０Ｂ（すなわち第２の支持棒）は、支持棒３０Ａと同様の長さ及び外径を有し、支持棒３０Ａと同様に、その両端部分が、支持棒挿通部２０Ｂから露出するようにして、支持棒挿通部２０Ｂに挿通されている。これにより、支持棒３０Ｂの両端部分は、支持棒３０Ａの両端部分と同様に、運搬者によって把持される把手としての役割を果たす。
【００１５】
また、運搬シート２０のうち、支持棒挿通部２０Ａ及び２０Ｂがそれぞれ形成された２辺の中央部分には、当該中央部分を切り取るようにして、切欠４０Ａ及び４０Ｂ（すなわち、第１及び第２の切欠）がそれぞれ形成されている。これにより、支持棒３０Ａ及び３０Ｂの中央部分が、支持棒挿通部２０Ａ及び２０Ｂからそれぞれ露出する。従って、支持棒３０Ａ及び３０Ｂの中央部分は、支持棒３０Ａ及び３０Ｂの両端部分と同様に、運搬者によって把時される把手としての役割を果たすことができる。
【００１６】
さらに、運搬具１０には、運搬者が運搬具１０を肩から担ぐための肩担ぎ用紐５０が用意されている。この肩担ぎ用紐５０の両端には、支持棒３０Ａ及び３０Ｂの外径の合計より大きい内径を有する輪５０Ａ及び５０Ｂが、それぞれ形成されている。
【００１７】
図２に示すように、運搬具１０を運搬する際には、運搬シート２０を筒状に変形させながら、支持棒３０Ａ及び３０Ｂ同士（すなわち、支持棒挿通部２０Ａ及び２０Ｂ同士）を接触させた上で、肩担ぎ用紐５０の両端に形成された環５０Ａ及び５０Ｂに、接触された支持棒３０Ａ及び３０Ｂの両端部分をそれぞれ挿通させる。
【００１８】
すなわち、除草後に残された草や小枝を集める際には、まず運搬シート２０を地面に敷いた後、箒などの清掃道具を用いて、草や小枝などを、地面に敷かれた運搬シート２０上に集めるようにして載せる。
【００１９】
これにより、開口部を有する直方体形状の収納袋のように、集めた草を一旦持ち上げた上で、上方から開口部を通じて収納袋の中に入れる場合と比較して、集めた草を容易に運搬シート２０に掃き入れることができる。
【００２０】
図３に示すように、支持棒３０Ａ及び３０Ｂの両端部分又は中央部分を把持しながら持ち上げると、運搬シート２０上に載せられた草６０の重みによって、運搬シート２０の中央部分が下方に垂下する。そして、運搬シート２０によって草６０を包み込むようにして、支持棒３０Ａ及び３０Ｂ同士（すなわち、支持棒挿通部２０Ａ及び２０Ｂ同士）を接触させる。
【００２１】
この状態において、肩担ぎ用紐５０の両端に形成された環５０Ａ及び５０Ｂに、接触された支持棒３０Ａ及び３０Ｂの両端部分をそれぞれ挿通させる。これにより、運搬シート２０が開いて、草６０が散らばることを防止することができる。そして、肩担ぎ用紐５０の中央部分を運搬者の肩に掛け、支持棒３０Ａ及び３０Ｂの両端部分を把持して運搬する。
【００２２】
これにより、開口部を形成する４辺のうち、対向する２辺に取っ手が設けられた直方体形状の収納袋のように、当該取っ手を掴みながら草が収納された収納袋を運搬する場合と比較して、容易に運搬作業を行うことができる。
【００２３】
図４に示すように、運搬シート２０に包み込まれた草６０を取り出し、いわゆる袋詰めを行う際には、支持棒３０Ａ及び３０Ｂから肩担ぎ用紐５０を外し、上面が開口した袋７０内に、草６０が包み込まれた運搬シート２０を差し込むようにして入れる。
【００２４】
続いて、運搬シート２０から袋７０内に草６０を移し入れた後、袋７０から運搬シート２０を取り出す。その後、紐などを用いて袋７０の口を閉じることにより、袋詰めを行う。
【００２５】
これにより、開口部を有する直方体形状の収納袋のように、収納袋を逆さにして、収納袋から草を取り出す場合と比較して、容易に草６０を取り出して袋詰め作業を行うことができる。
【００２６】
このように本実施の形態によれば、簡易な構成で、運搬対象物である草６０の出し入れ作業及び運搬作業を容易に行うことができる。
【００２７】
なお上述の実施の形態は一例であって、本発明を限定するものではない。例えば、肩担ぎ用紐５０を用いることなく、切欠４０Ａ及び４０Ｂによって露出された支持棒３０Ａ及び３０Ｂの中央部分を把持しながら運搬するようにしても良い。
【符号の説明】
【００２８】
１０  運搬具
２０  運搬シート
２０Ａ、２０Ｂ  支持棒挿通部
３０Ａ、３０Ｂ  支持棒
４０Ａ、４０Ｂ  切欠
５０  肩担ぎ紐
５０Ａ、５０Ｂ  輪
【図１】
2011016566.tif 000003
【図２】
2011016566.tif 000004
【図３】
2011016566.tif 000005
【図４】
2011016566.tif 000006